(57)【特許請求の範囲】
【請求項１】
読影レポートサーバと、該読影レポートサーバとネットワークを介して接続された読影端末と、を備え、
前記読影レポートサーバは、医用画像の撮影依頼案件についての情報であって、前記医用画像に対する読影レポートと関わる診療報酬を得るために必要な条件に関する情報を記憶する記憶部と、該記憶部に記憶された情報に基づいて、撮影依頼案件について前記条件を満たすか否かを判定する判定部と、を有し、
前記読影端末は、前記判定部の判定結果が表示されるモニタと、該モニタに前記判定部の判定結果を表示させる表示制御部と、を有する
ことを特徴とする読影レポートシステム。
【請求項２】
前記診療報酬を得るために必要な条件は、診療報酬の加算を得るために必要な条件であることを特徴とする請求項１に記載の読影レポートシステム。
【請求項３】
前記診療報酬は、画像診断管理加算であることを特徴とする請求項１又は２に記載の読影レポートシステム。
【請求項４】
前記記憶部に記憶された情報は、医用画像の読影レポートのステータス情報、医用画像の撮影日の情報であることを特徴とする請求項１〜３のいずれか一項に記載の読影レポートシステム。
【請求項５】
読影レポートサーバと、該読影レポートサーバとネットワークを介して接続された読影端末と、を備えた読影レポートシステムの制御プログラムであって、
前記読影レポートサーバに、医用画像の撮影依頼案件についての情報であって、前記医用画像に対する読影レポートと関わる診療報酬を得るために必要な条件に関する情報に基づいて、撮影依頼案件について前記条件を満たすか否かを判定する判定機能を実行させ、
前記読影端末に、前記判定機能による判定結果をモニタに表示させる表示制御機能を実行させる
ことを特徴とする読影レポートシステムの制御プログラム。
【発明の詳細な説明】
【技術分野】
【０００１】
本発明は、診療報酬を得るために必要な条件が満たされているか否かを容易に把握することができる医用情報システム及び読影レポートシステムに関する。
【背景技術】
【０００２】
医療行為に対する対価は、診療報酬点数表において点数として定められている。画像診断に対する対価も診療報酬点数表において定められており、Ｘ線ＣＴ装置やＭＲＩ装置などの医用画像撮影装置による医用画像の撮影に対する点数が定められている。
【０００３】
診療報酬点数表においては、医用画像の撮影を行なうと得ることができる診療報酬の他に、所定の条件を満たすことによって加算される点数が定められている。例えば、加算点数として「画像診断管理加算２」が定められている。この「画像診断管理加算２」の施設基準としては、放射線科を標榜している病院であること、当該保険医療機関内に画像診断を専ら担当する常勤の医師が配置されていること、核医学診断及びコンピュータ断層撮影診断のうち、少なくとも八割以上のものの読影結果が、画像診断を専ら担当する常勤の医師により遅くとも撮影日の翌診療日までに主治医に報告されていること、などの条件がある。
【０００４】
ところで、近年では、医用画像や読影レポートなどの医用情報を扱うシステムが構築された医療機関が増えてきている。このようなシステムとしては、例えば医用画像撮影装置で撮影された医用画像を保存する医用画像サーバや、読影レポートを保存するための読影レポートサーバとがネットワークで接続されたシステムなどがある（例えば、特許文献１参照）。このような医療機関では、主治医がシステム上の端末において医用画像撮影装置による撮影の依頼をすると、撮影依頼情報がネットワークを介して前記医用画像サーバや読影レポートサーバに記憶される。そして、撮影依頼案件について、撮影を担当する技師が医用画像の撮影を行なうと、医用画像のデータが前記医用画像サーバに保存される。そして、読影医は、前記ネットワークに接続された読影端末において、前記医用画像サーバに保存された医用画像を表示させ、読影レポートを作成する。作成された読影レポートは、前記読影レポートサーバに保存され、主治医は、読影レポートサーバに保存された読影レポートに基づいて治療方針の決定等を行なう。
【先行技術文献】
【特許文献】
【０００５】
【特許文献１】特許第４０９５６５５号公報
【発明の概要】
【発明が解決しようとする課題】
【０００６】
上述の「画像診断管理加算２」で定められた前記条件のうち、核医学診断及びコンピュータ断層撮影診断のうち、少なくとも八割以上のものの読影結果が、画像診断を専ら担当する常勤の医師により遅くとも撮影日の翌診療日までに主治医に報告されていること、の条件については、日々の病院業務（ここでは医用画像の診断の業務）の中で注意することが求められる。従って、診療報酬を得るための条件のうち、日々の病院業務の中で注意することが求められる条件が満たされているか否かを、医用情報を扱うシステムにおいて容易に把握することができることが望まれている。
【課題を解決するための手段】
【０００７】
上述の課題を解決するためになされた発明は、医用画像の撮影依頼案件についての情報であって、診療報酬を得るために必要な条件に関する情報を記憶する記憶部と、この記憶部に記憶された情報に基づいて、撮影依頼案件について前記条件を満たすか否かを判定する判定部と、この判定部の判定結果が表示されるモニタと、このモニタに前記判定部の判定結果を表示させる表示制御部と、を備えることを特徴とする医用情報システムである。
【０００８】
また、他の観点の発明は、読影レポートサーバと、該読影レポートサーバとネットワークを介して接続された読影端末と、を備え、前記読影レポートサーバは、医用画像の撮影依頼案件についての情報であって、前記医用画像に対する読影レポートと関わる診療報酬を得るために必要な条件に関する情報を記憶する記憶部と、該記憶部に記憶された情報に基づいて、撮影依頼案件について前記条件を満たすか否かを判定する判定部と、を有し、前記読影端末は、前記判定部の判定結果が表示されるモニタと、該モニタに前記判定部の判定結果を表示させる表示制御部と、を有することを特徴とする読影レポートシステムである。
【発明の効果】
【０００９】
上記観点の発明によれば、診療報酬を得るために必要な条件を満たすか否かの判定結果が表示されるので、診療報酬を得るために必要な条件が満たされているか否かを容易に把握することができる。
【図面の簡単な説明】
【００１０】
【図１】実施形態の医用情報システムのブロック図である。
【図２】図１に示す医用情報システムにおける読影端末のブロック図である。
【図３】図１に示す医用情報システムにおける読影レポートサーバのブロック図である。
【図４】図１に示す医用情報システムにおける作用を示すフローチャートである。
【図５】図４のフローチャートにおける読影レポートの作成のフローチャートである。
【図６】モニタに表示された撮影依頼案件のリストの一例を示す図である。
【図７】読影レポートの作成画面が表示されたモニタを示す図である。
【図８】撮影依頼案件のリストにおいて、診療報酬を得るために必要な条件が満たされているか否かが分かる表示をするための処理を示すフローチャートである。
【図９】カラー表示が表示された撮影依頼案件のリストの一例を示す図である。
【図１０】読影レポートの作成画面の他例が表示されたモニタを示す図である。
【発明を実施するための形態】
【００１１】
以下、本発明の実施形態について図１〜図９に基づいて説明する。図１に示す医用情報システム１００は、本発明における医用情報システムの実施の形態の一例であり、本発明に係る読影レポートシステムを含む。
【００１２】
前記医用情報システム１００は、ＨＩＳ（Ｈｏｓｐｉｔａｌ  Ｉｎｆｏｍａｔｉｏｎ  Ｓｙｓｔｅｍ）１とＲＩＳ（Ｒａｄｉｏｌｏｇｙ  Ｉｎｆｏｒｍａｔｉｏｎ  Ｓｙｓｔｅｍ）サーバ（Ｓｅｒｖｅｒ）２とがゲートウェイ（Ｇａｔｅｗａｙ）装置３を介して接続されている。前記ＲＩＳサーバ２は、読影端末４、読影レポートサーバ５、医用画像サーバ６及びモダリティ（Ｍｏｄａｌｉｔｙ）７とネットワーク（Ｎｅｔｗｏｒｋ）８を介して接続されている。
【００１３】
前記ＨＩＳ１は、特に図示しないがＨＩＳ端末を有し、このＨＩＳ端末により、主治医は医用画像の撮影を依頼（検査依頼）しようとする案件（撮影依頼案件）の情報、すなわち撮影依頼情報を入力する。例えば、撮影依頼情報には、患者の氏名、ＩＤ、依頼医の氏名、撮影モダリティ等の情報が含まれる。また、前記ＨＩＳ端末において、主治医は撮影依頼を行なうことができ、医用画像について作成された読影レポートを見ることができる。
【００１４】
前記ＲＩＳサーバ２には、前記ＨＩＳ１から前記ゲートウェイ装置３を介して入力される撮影依頼情報等が記憶される。
【００１５】
前記ＲＩＳサーバ２に記憶された撮影依頼情報は、前記ネットワーク８を介して前記読影レポートサーバ５及び前記医用画像サーバ６に記憶される。また、この医用画像サーバ６には、前記モダリティ７で撮影された医用画像のデータが、前記撮影依頼情報と対応付けて記憶される。
【００１６】
ちなみに、前記ＲＩＳサーバ２、前記読影レポートサーバ５及び前記医用画像サーバ６は、サーバとして公知の構成を有しており、前記読影レポートサーバ５のみについて後述する。
【００１７】
前記モダリティ７としては、例えば核医学診断装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、一般Ｘ線撮影装置などが前記ネットワーク８に接続されている。
【００１８】
前記読影端末４は、汎用型のパーソナルコンピュータ（Ｐｅｒｓｏｎａｌ  Ｃｏｍｐｕｔｅｒ）であり、図２に示すように、入力部４１、ＣＰＵ（Ｃｅｎｔｒａｌ  Ｐｒｏｃｅｓｓｉｎｇ  Ｕｎｉｔ）４２、モニタ（ｍｏｎｉｔｏｒ）４３、通信インターフェース４４を有している。ただし、図２においては、本実施例において主要な構成のみが図示され、コンピュータとして公知の構成については説明を省略する。
【００１９】
前記入力部４１は、キーボード（ｋｅｙｂｏａｒｄ）やマウス（ｍｏｕｓｅ）などからなる。前記ＣＰＵ４２は、図示しない記憶部に記憶されたプログラムを読み出して、前記読影端末４における各種の機能を実行する。このＣＰＵ４２は、図２に示すように、表示制御部４２１を有する。この表示制御部４２１は、前記ＣＰＵ４２が実行する機能の一例として、前記モニタ４３に画像を表示させる機能を実行する（表示制御機能）。前記表示制御部４２１による表示制御機能としては、例えば後述の判定部５２１による判定結果（図９のカラー表示ＣＧ）を前記モニタ４３に表示させる機能などが挙げられる。前記表示制御部４２１は、本発明における表示制御部の実施の形態の一例である。また、前記表示制御機能は、本発明における表示制御部の実施の形態の一例である。
【００２０】
前記モニタ４３には、例えば読影レポートを作成する際に、後述するように撮影依頼案件のリストＬ（図６参照）や、読影レポート作成画面（図７参照）などが表示される。前記モニタ４３は、本発明におけるモニタの実施の形態の一例である。
【００２１】
また、前記読影レポートサーバ５は、図３に示すように、記憶部５１、ＣＰＵ５２及び通信インターフェース（Ｉｎｔｅｒｆａｃｅ）５３とを有している。前記記憶部５１は、本発明における記憶部の実施の形態の一例であり、ＨＤＤ（Ｈａｒｄ  Ｄｉｓｋ  Ｄｒｉｖｅ）や半導体メモリなどで構成される。
【００２２】
前記記憶部５１には、医用画像の撮影依頼案件についての情報が記憶される。この撮影依頼案件についての情報としては、前記撮影依頼情報のほか、読影レポートのステータス情報や医用画像の撮影日の情報などの読影レポートに関わる情報が含まれる。これら読影レポートのステータス情報や医用画像の撮影日の情報は、診療報酬を得るために必要な条件に関する情報であり、具体的には、医用画像に対する読影レポートと関わる診療報酬である上述の「画像診断管理加算２」の施設基準の条件に関する情報である。
【００２３】
ちなみに、読影レポートのステータス情報とは、例えば読影レポート作成中、読影レポートの承認待ち、読影レポートの承認済み（最終確定済み）などの情報である。
【００２４】
また、前記記憶部５１には、撮影依頼案件のリストＬや読影レポートが記憶される。撮影依頼案件のリストＬと読影レポートとは対応付けて記憶される。
【００２５】
さらに、前記記憶部５１には、前記読影レポートサーバ５における各種の機能を実行させるプログラムが記憶されている。
【００２６】
前記ＣＰＵ５２は、前記記憶部５１に記憶されたプログラムを読み出して、前記読影レポートサーバ５における各種の機能を実行する。前記ＣＰＵ５２は、図３に示すように判定部５２１を有する。この判定部５２１は、前記ＣＰＵ５２が実行する機能の一例として、前記記憶部５１に記憶された情報に基づいて、撮影依頼案件について診療報酬を得るために必要な条件を満たすか否かを判定する（判定機能）。前記判定部５２１は、本発明における判定部の実施の形態の一例であり、前記判定機能は、本発明における判定機能の実施の形態の一例である。
【００２７】
前記判定部５２１において判定される前記条件は、診療報酬のうち、医用画像の診断の業務に関する条件である。本例では、診療報酬の加算を得るために必要な条件であり、上述の「画像診断管理加算２」の施設基準の条件である。詳細は後述する。
【００２８】
次に、前記医用情報システム１００における作用について図４に基づいて説明する。先ず、図４に示すステップＳ１において、前記ＨＩＳ１から前記ゲートウェイ装置３を介して、前記ＲＩＳサーバ２へ撮影依頼情報が出力される。撮影依頼情報は、主治医が前記ＨＩＳ端末において撮影依頼の操作を行なうことにより出力される。そして、ステップＳ２では、前記ＲＩＳサーバ２に記憶された撮影依頼情報が、前記読影レポートサーバ５及び医用画像サーバ６に記憶される。より詳細には、前記撮影依頼情報は、前記ネットワーク８を介して先ず前記読影レポートサーバ５の前記記憶部５１に記憶される。そして、前記読影レポートサーバ５において、前記撮影依頼情報に基づいて、撮影依頼案件のリストＬが作成され前記記憶部５１に記憶される。
【００２９】
さらに、前記記憶部５１に記憶された前記撮影依頼情報は、前記通信インターフェース５３から前記ネットワーク８を介して前記医用画像サーバ６に出力され、この医用画像サーバ６の記憶部（図示省略）に記憶される。ただし、前記撮影依頼情報は、前記ＲＩＳサーバ２から前記医用画像サーバ６に直接記憶されてもよい。
【００３０】
次に、ステップＳ３では、撮影依頼案件について、前記モダリティ７において医用画像の撮影を行なう。得られた医用画像のデータは、前記ネットワーク８を介して前記医用画像サーバ６に記憶される。この医用画像サーバ６において、前記医用画像のデータは、前記撮影依頼情報と関連付けて記憶される。前記医用画像サーバ６には前記医用画像のデータと関連付けて撮影日の情報も記憶される。撮影日の情報は、前記読影レポートサーバ５の記憶部５１にも記憶される。
【００３１】
次に、ステップＳ４では、前記読影端末４において読影医による読影レポートの作成が行なわれる。このステップＳ４の処理について、図５のフローチャートに基づいて説明する。図５のステップＳ４１においては、読影医により、読影レポート作成開始の操作が前記読影端末４の入力部４１においてなされると、図６に示すように、前記読影端末４の表示制御部４２１が、前記モニタ４３に撮影依頼案件のリストＬを表示させる。このリストＬは、前記読影レポートサーバ５の記憶部５１から前記通信インターフェース５３及び前記ネットワーク８を介して前記読影端末４に入力される。
【００３２】
前記リストＬにおいては、一行につき、一件分の撮影依頼案件の情報が表示される。撮影依頼案件の情報としては、読影レポートの作成状況を示すレポートステータス、撮影日時、患者ＩＤ、患者名、撮影のモダリティなどの情報が表示される。
【００３３】
前記ステップＳ４１で表示される前記撮影依頼案件のリストＬとしては、例えば撮影日などを絞ったリストが表示できるようになっている。従って、読影医によって、表示させたい撮影日などが入力されると、入力された撮影日における撮影依頼案件のリストＬが表示される。このリストＬにおいては、診療報酬を得るために必要な条件が満たされているか否かが分かる表示がされる。詳細は後述する。
【００３４】
次に、ステップＳ４２では、読影医は、前記撮影依頼案件のリストＬの中から読影レポートの作成対象を選択する。具体的には、読影医が前記入力部４１のマウス等を用いて前記モニタ４３に表示されたカーソル（図示省略）を移動させ、所望の撮影依頼案件を指示することにより、読影レポートの作成対象の選択が行なわれる。
【００３５】
前記ステップＳ４２において読影レポートの作成対象が選択されると、ステップＳ４３では、図７に示すように、前記表示制御部４２１は、選択された撮影依頼案件についての読影レポートの作成画面Ｇ１を前記モニタ４３に表示させる。
【００３６】
前記読影レポートの作成画面Ｇ１において、Ｘ１１は患者の氏名、ＩＤなどの患者情報や撮影モダリティ、撮影日などの情報が表示される欄、Ｘ１２は所見を記入する所見欄、Ｘ１３は診断内容を記入する診断欄である。また、Ｘ１４は診断においてキーとなる画像が添付される画像欄、Ｘ１５は患者の氏名、身長、体重、血液型などの患者情報、撮影部位などの撮影情報、過去の読影レポートを選択するための画面が表示される欄である。
【００３７】
次に、ステップＳ４４では、前記読影端末４において、読影医が読影レポートの作成を行なう。具体的には、先ず前記表示制御部４２１は、前記医用画像サーバ６に記憶された医用画像を前記モニタ４３に表示させる。次に、読影医は、前記入力部４１を用いて、読影レポートの作成画面Ｇ１において、所見欄Ｘ１２や診断欄Ｘ１３の内容を記入したり、診断においてキーとなる画像を画像欄Ｘ１４に添付したりして、読影レポートを作成する。作成された読影レポートは、前記読影レポートサーバ５の記憶部５１に記憶される。
【００３８】
ちなみに、前記記憶部５１には、前記読影レポートのステータス情報も適宜記憶される。
【００３９】
次に、ステップＳ４５では、読影レポートの最終確定の操作を行なう。例えば、読影レポートを作成した担当の読影医とは異なる読影医により、別の読影端末４において承認操作がされることにより、読影レポートが最終確定される。読影レポートの最終確定の操作がなされると、前記読影レポートサーバ５の記憶部５１において、前記読影レポートのステータス情報が最終確定のステータスに更新される。
【００４０】
次に、ステップＳ４６では、読影レポートの最終確定が主治医に通知される。具体的には、前記読影端末４において最終確定の操作がされると（前記ステップＳ４５）、読影レポートの最終確定の情報が、前記読影レポートサーバ５から前記ＲＩＳサーバ２及び前記ゲートウェイ装置３を介して前記ＨＩＳ１に入力される。これにより、前記ＨＩＳ１における端末を用いて、主治医は前記読影レポートサーバ５にアクセスし、前記記憶部５１に記憶された読影レポートを見ることができるようになる。
【００４１】
ステップＳ４６において読影レポートの最終確定が主治医に通知されると、ステップＳ４の処理が終了し、ステップＳ５の処理へ移行する。ステップＳ５では、主治医が前記ＨＩＳ１の端末に読影レポートを表示させて内容を確認する。そして、主治医は治療方針の決定等を行なう。
【００４２】
次に、ステップＳ４２で、前記リストＬにおいて、診療報酬を得るために必要な条件が満たされているか否かが分かる表示をするための処理について、図８に基づいて説明する。ここでは、診療報酬を得るために必要な条件は、「画像診断管理加算２」の施設基準である「核医学診断及びコンピュータ断層撮影診断のうち、少なくとも八割以上のものの読影結果が、画像診断を専ら担当する常勤の医師により遅くとも撮影日の翌診療日までに主治医に報告されていること」の条件であるものとする。そして、この条件が満たされているか否かが分かる表示として、図９に示すように、前記リストＬにカラー（ｃｏｌｏｒ）表示ＣＧが表示される。このカラー表示ＣＧは、読影レポートが最終確定されていない撮影依頼案件の行を色づけした表示である。以下、具体的な処理について詳細に説明する。
【００４３】
先ず、ステップＳ４１１では、前記読影レポートサーバ５の判定部５２１が、前記記憶部５１に記憶された撮影依頼案件の中から、撮影日が、読影レポートの作成を行なっている日の一日前の診療日（前診療日）であり、なおかつ撮影モダリティが核医学診断又はコンピュータ断層診断である撮影依頼案件を抽出する。前記判定部５２１は、前記記憶部５１に記憶された撮影日の情報と撮影モダリティの情報とを参照して、ステップＳ４１１の抽出を行なう。このステップＳ４１１で抽出された撮影依頼案件の数をＡとする。
【００４４】
次に、ステップＳ４１２では、前記判定部５２１は、前記ステップＳ４１１において抽出された撮影依頼案件の中から読影レポートが最終確定されていないもの（前記ステップＳ４５の処理が終了していないもの）を抽出する。前記判定部５２１は、前記記憶部５１に記憶された読影レポートのステータス情報を参照して、ステップＳ４１２の抽出を行なう。このステップＳ４１２で抽出された撮影依頼案件の数をＢとする。
【００４５】
次に、ステップＳ４１３では、前記判定部５２１は、前記ステップＳ４１１で抽出された撮影依頼案件の数Ａに対する前記ステップＳ４１２で抽出された撮影依頼案件の数Ｂの割合Ｃ、すなわちＣ＝Ｂ／Ａ（ちなみに、Ｃ≦１．０）を算出する。そして、ステップＳ４１４では、前記判定部５２１は、前記割合Ｃが０．２を超えているか否かを判定し、前記ネットワーク８を介して判定結果を前記読影端末に出力する。
【００４６】
前記ステップＳ４１４において前記割合Ｃが０．２を超えている場合（Ｃ＞０．２）、ステップＳ４１５の処理へ移行する。前記割合Ｃが０．２を超えている場合、「画像診断管理加算２」の前記条件が満たされていない状態である。
【００４７】
一方、前記ステップＳ４１４において前記割合Ｃが０．２以下である場合（Ｃ≦０．２）、ステップＳ４１６の処理へ移行する。前記割合Ｃが０．２以下である場合、「画像診断管理加算２」の前記条件が満たされている状態である。
【００４８】
前記ステップＳ４１５では、前記判定部５２１の判定結果が入力された前記読影端末４の表示制御部４２１は、前記リストＬにおいて、読影レポートが最終確定されていない撮影依頼案件の行に、前記カラー表示ＣＧを表示させる。このカラー表示ＣＧは、前記「画像診断管理加算２」の前記条件が満たされていないことを示す表示であり、前記判定部５２１による判定結果の表示の一例である。読影医は、前記カラー表示ＣＧが表示された撮影依頼案件を選択して読影レポートを作成する。
【００４９】
前記ステップＳ４１５においてカラー表示ＣＧが表示されると、再びステップＳ４１４へ戻る。そして、所定のタイミングでこのステップＳ４１４の判定処理が行なわれた後、前記ステップＳ４１５又は前記ステップＳ４１６の処理へ移行する。所定のタイミングとは、例えば予め設定された所定時間毎でもよいし、上述のステップＳ４５において読影レポートの最終確定が行なわれたタイミングであってもよい。
【００５０】
一方、前記ステップＳ４１６では、前記表示制御部４２１は前記カラー表示ＣＧを表示させず、前記リストＬをそのままの表示とする。
【００５１】
以上説明した本例によれば、前診療日に撮影された撮影依頼案件のうち、読影レポートの最終確定がなされていないものが八割に満たない場合、前記読影端末４のモニタ４３に前記カラー表示ＣＧが表示される（前記ステップＳ４１５）。従って、読影医は「画像診断管理加算２」の施設基準のうち、日々の業務の中で注意することが求められる条件である、翌診療日までの読影結果の報告件数が八割以上になっていることが満たされているか否かを容易に把握することができる。また、前記カラー表示ＣＧにより、読影医は、読影レポートを作成すべき撮影依頼案件を直感的に把握することができる。
【００５２】
以上、本発明を前記実施形態によって説明したが、本発明はその主旨を変更しない範囲で種々変更実施可能なことはもちろんである。例えば、前記表示制御部４２１は、診療終了時間の所定時間前になった時に、前記カラー表示ＣＧの色を変えてもよい。例えば、前記表示制御部４２１は、前記カラー表示ＣＧを黄色で表示させておき、診療終了時間の２時間前になると、赤色で表示させてもよい。これにより、読影医は、診療終了時間が近づいているにも拘わらず、前記「画像診断管理加算２」の施設基準を満たしていないことを認識することができる。
【００５３】
ちなみに、前記カラー表示ＣＧの色を変えるタイミングは、前記読影端末４などにおいて入力して設定することができるようになっていてもよい。
【００５４】
また、前記表示制御部４２１は、診療終了時間の所定時間前になった時に、診療終了時間が迫っていることを認識させるためのメッセージを前記モニタ４３に表示させてもよい。
【００５５】
さらに、前記判定部５２１は、前診療日に撮影が行なわれた撮影依頼案件の数Ａに対する読影レポートが最終確定されている撮影依頼案件の数Ｄ（Ｄ＝Ａ−Ｂ）の割合Ｅ（Ｅ＝Ｄ／Ａ）を算出してもよい。そして、前記表示制御部４２１が、図１０に示すように、割合Ｅの百分率（％）を、前記モニタ４３の割合表示欄Ｘ１６に表示させるようにしてもよい。
【００５６】
前記割合Ｅは、撮影依頼案件のリストＬが表示された画面に表示されてもよい。
【符号の説明】
【００５７】
４  読影端末
５  読影レポートサーバ
８  ネットワーク
４３  モニタ
５１  記憶部
１００  医用情報システム
４２１  表示制御部
５２１  判定部
ＣＧ  カラー表示
【図１】
0005798336.tif 000002
【図２】
0005798336.tif 000003
【図３】
0005798336.tif 000004
【図４】
0005798336.tif 000005
【図５】
0005798336.tif 000006
【図６】
0005798336.tif 000007
【図７】
0005798336.tif 000008
【図８】
0005798336.tif 000009
【図９】
0005798336.tif 000010
【図１０】
0005798336.tif 000011